(57)【要約】【課題】コストアップを抑制しつつ、各光源アレイ間の温度のバラツキを解消又は低減することのできる技術を提供する。【解決手段】温度調節モジュール１０７，１０８のＬＥＤ直列回路に、抵抗素子１０３，１０４をそれぞれ直列に接続して、発光部１０１，１０２の発光状態を、抵抗素子１０３，１０４の両端電圧ＶＲ１，ＶＲ２で間接的に検出するとともに、発光部１０１，１０２の発光量を所定値にするためのペルチェ電流を前記両端電圧ＶＲ１，ＶＲ２の値ごとに予め設定したテーブルを用意しておき、電流検出部１１３が前記抵抗素子１０３，１０４の両端電圧ＶＲ１，ＶＲ２を検出すると、ペルチェ制御部１１５は、この検出電圧ＶＲ１，ＶＲ２に対応するペルチェ電流Ｉ（制御値）をテーブル記憶部１１４から読み出し、このペルチェ電流Ｉを温度調節モジュール１０７，１０８に供給するようにした。【選択図】図２
2011097348.tif 000002
【特許請求の範囲】
【請求項１】
複数の発光部と、
前記複数の発光部をそれぞれ冷却するための複数の熱電素子と、
前記各発光部に流れる電流をそれぞれ検出するための電流検出部と、
前記各発光部を予め定められた光量で発光させるための、前記電流検出部により検出され得る電流と前記熱電素子に供給すべき電流との対応関係を予め記憶する記憶部と、
前記電流検出部により前記各発光部に流れる電流がそれぞれ検出されると、その電流に対応する、前記熱電素子に供給すべき電流を前記記憶部から読み出し、この読み出した電流を前記熱電素子に供給するように制御する熱電素子制御部と
を備える照明装置。
【請求項２】
前記発光部は、自身に流れる電流が増大するのに伴って発光量が増大する特性を有するとともに、自身の温度が増大するのに伴って自身に流れる電流が減少する特性を有する素子であり、
前記記憶部には、前記電流検出部により検出され得る電流が大きくなるほど前記熱電素子に供給すべき電流が小さくなるように、前記電流検出部により検出され得る電流と前記熱電素子に供給すべき電流との対応関係が予め記憶されている請求項１に記載の照明装置。
【請求項３】
前記対応関係は、対応する発光部と熱電素子との組み合わせごとに設定されている請求項２に記載の照明装置。
【請求項４】
前記電流検出部は、前記各発光部にそれぞれ直列に接続された複数の抵抗素子を備え、前記各抵抗素子の出力信号が示す該抵抗素子の両端電圧に基づいて、前記発光部に流れる電流をそれぞれ検出する請求項１乃至３のいずれか一項に記載の照明装置。
【請求項５】
前記各発光部は、それぞれ、複数のＬＥＤが直列接続されたものである請求項１乃至４の何れか一項に記載の照明装置。
【請求項６】
前記熱電素子は、ペルチェ素子である請求項１乃至５の何れか一項に記載の照明装置。
【請求項７】
請求項１乃至６の何れか一項に記載の照明装置と、
前記照明装置から出力される照明光を原稿に照射し、その反射光を受光することにより該原稿の画像を読み取る画像読取部と
を備える画像読取装置。
【発明の詳細な説明】
【技術分野】
【０００１】
本発明は、スキャナなどの画像読取装置の原稿に光を照射する照明装置の技術分野に属する。
【背景技術】
【０００２】
従来、例えば下記特許文献１に記載されているように、複数のＬＥＤチップを備えた光源アレイを有する照明装置において、該光源アレイをペルチェモジュールにて冷却する技術が知られている。下記特許文献１には、サーミスタを用いてＬＥＤチップの温度を検出し、検出された温度に応じてペルチェモジュールへの電流量を調整することにより、光源アレイの冷却を行う技術が開示されている。
【先行技術文献】
【特許文献】
【０００３】
【特許文献１】特開２００４−３４２５５７号公報
【発明の概要】
【発明が解決しようとする課題】
【０００４】
照明装置の光量を増大させるために前記光源アレイを複数搭載し、該照明装置を画像読取装置のスキャナ光源として用いる場合を想定する。この場合、各光源アレイ間に温度のバラツキが発生すると、光源の光量分布が不均一となり、それによって適切に原稿の画像を読み取ることができなくなるという不具合が生じるため、各光源アレイ間に温度のバラツキが発生するのを抑制する必要がある。
【０００５】
ここで、前記特許文献１で採用しているサーミスタを光源アレイごとに設置し、各サーミスタにより検出される温度に基づいて各ペルチェモジュールの動作を制御する構成が考えられる。
【０００６】
ところが、複数のサーミスタを搭載することは照明装置のコストアップを招来することとなる。また、サーミスタは素子ごとに特性のバラツキが大きく正確な制御ができないという問題があった。
【０００７】
本発明は、このような事情に鑑みて為された発明であり、コストアップを抑制しつつ、各光源アレイ間の温度のバラツキを解消又は低減することのできる技術を提供することを目的とする。
【課題を解決するための手段】
【０００８】
請求項１に記載の発明は、複数の発光部と、前記複数の発光部をそれぞれ冷却するための複数の熱電素子と、前記各発光部に流れる電流をそれぞれ検出するための電流検出部と、前記各発光部を予め定められた光量で発光させるための、前記電流検出部により検出され得る電流と前記熱電素子に供給すべき電流との対応関係を予め記憶する記憶部と、前記電流検出部により前記各発光部に流れる電流がそれぞれ検出されると、その電流に対応する、前記熱電素子に供給すべき電流を前記記憶部から読み出し、この読み出した電流を前記熱電素子に供給するように制御する熱電素子制御部とを備える照明装置である。
【０００９】
この発明によれば、電流検出部により、前記各発光部に流れる電流がそれぞれ検出されると、熱電素子制御部により、その検出電流に対応する、前記熱電素子に供給すべき電流が、前記発光部を予め定められた光量で発光させるための電流として前記記憶部から読み出され、この読み出された電流が前記熱電素子に供給される。
【００１０】
このように、前記発光部の発光状態を該発光部に流れる電流で間接的に検出するように構成するとともに、前記発光部を予め定められた光量で発光させるための、前記電流検出部により検出され得る電流と前記熱電素子に供給すべき電流を予め設定し、前記各発光部に流れる電流が検出されると、その検出電流に対応する電流を熱電素子に供給するようにしたので、前記発光部の温度をサーミスタで検出する構成に比して、サーミスタが不要となる分、コストアップを抑制することができる。
【００１１】
また、前記発光部を予め定められた光量で発光させるための、前記電流検出部により検出され得る電流と前記熱電素子に供給すべき電流を、発光部と熱電素子との組み合わせごとに予め設定し、前記各発光部に流れる電流が検出されると、その検出電流に対応する電流を各発光部に対応する熱電素子に供給するようにしたので、各発光部の温度のバラツキを低減することができる。
【００１２】
請求項１に記載の照明装置において、前記発光部が、自身に流れる電流が増大するのに伴って発光量が増大する特性を有するとともに、自身の温度が増大するのに伴って自身に流れる電流が減少する特性を有する素子である場合には、請求項２に記載の発明のように、前記記憶部には、前記電流検出部により検出され得る電流が大きくなるほど前記熱電素子に供給すべき電流が小さくなるように、前記電流検出部により検出され得る電流と前記熱電素子に供給すべき電流との対応関係を予め記憶するとよい。
【００１３】
請求項３に記載の発明は、請求項２に記載の照明装置において、前記対応関係は、対応する発光部と熱電素子との組み合わせごとに設定されているものである。
【００１４】
この発明によれば、前記電流検出部により検出され得る電流と前記熱電素子に供給すべき電流との前記対応関係を、対応する発光部と熱電素子との組み合わせごとに設定したので、各発光部や各熱電素子の個体間の特性のバラツキを吸収することができる。
【００１５】
前記電流検出部の具体的な構成としては、例えば請求項４に記載の発明のように、前記各発光部にそれぞれ直列に接続された複数の抵抗素子を備え、前記各抵抗素子の出力信号が示す該抵抗素子の両端電圧に基づいて、前記発光部に流れる電流をそれぞれ検出するものが想定される。この構成によれば、安価に電流検出部を構成することができる。
【００１６】
前記各発光部としては、請求項５に記載の発明のように、複数のＬＥＤが直列接続されたものが想定される。
【００１７】
また、前記熱電素子としては、請求項６に記載の発明のように、ペルチェ素子とする形態が一例として想定される。
【００１８】
請求項７に記載の発明は、請求項１乃至６の何れかに記載の照明装置と、前記照明装置から出力される照明光を原稿に照射し、その反射光を受光することにより該原稿の画像を読み取る画像読取部とを備える画像読取装置である。
【００１９】
この発明によれば、各発光部の温度のバラツキを解消又は低減することができるため、前記複数の発光部からなるユニットの発光量の位置的なバラツキを解消又は低減することができる。その結果、読み取り対象の画像をより正確に読み取ることができる。
【発明の効果】
【００２０】
本発明によれば、コストアップを抑制しつつ、発光部同士の温度のバラツキを解消又は低減することができる。このことによって、発光素子同士の光量のばらつきを解消又は低減することができる。
【図面の簡単な説明】
【００２１】
【図１】画像形成装置の第１の実施形態の構成を示す図である。
【図２】スキャナ部に備えられる照明装置及び該照明装置を制御する制御部の電気的な構成を示すブロック図である。
【図３】温度調節モジュールの構成を示す図である。
【図４】テーブル記憶部に予め記憶されているテーブルを示す図である。
【図５】制御部による温度調節モジュールの動作制御を示すフローチャートである。
【発明を実施するための形態】
【００２２】
本発明に係る照明装置及び該照明装置を備えた画像読取装置を有する画像形成装置の実施形態について説明する。図１は、画像形成装置の第１の実施形態の構成を示す図である。
【００２３】
図１に示す画像形成装置１は、本体部２と、本体部２の左方に配設されたスタックトレイ３と、本体部２の上部に配設された原稿読取部４と、原稿読取部４の上方に配設された原稿給送部５とを有している。
【００２４】
原稿読取部４は、ＣＣＤ(Charge Coupled Device)センサ及び後述する照明装置１００等からなるスキャナ部６と、ガラス等の透明部材により構成された原稿台７と、原稿読取スリット８とを備える。スキャナ部６は、図略の駆動部によって移動可能に構成され、原稿台７に載置された原稿を読み取るときは、原稿台７に対向する位置で原稿面に沿って移動され、原稿画像を走査しつつ取得した画像データを図略の画像処理部へ出力する。
【００２５】
また、原稿給送部５により給送された原稿を読み取るときは、原稿読取スリット８と対向する位置に移動され、原稿読取スリット８を介して原稿給送部５による原稿の搬送動作と同期して原稿の画像を取得し、その画像データを上記画像処理部へ出力する。
【００２６】
原稿給送部５は、原稿を載置するための原稿載置部９と、画像読み取り済みの原稿を排出するための原稿排出部１０と、原稿載置部９に載置された原稿を１枚ずつ繰り出して原稿読取スリット８に対向する位置へ搬送し、原稿排出部１０へ排出するための給紙ローラ（図略）、搬送ローラ（図略）等からなる原稿搬送機構１１を備える。原稿搬送機構１１は、さらに原稿を表裏反転させて原稿読取スリット８と対向する位置へ再搬送する用紙反転機構（図略）を備え、原稿の両面の画像を、原稿読取スリット８を介してスキャナ部６を用いて読取可能にしている。
【００２７】
原稿給送部５は、その前面側が上方に移動可能となるように原稿読取部４に対して回動自在に設けられている。原稿給送部５の前面側を上方に移動させて原稿台７の上面を開放することにより、該原稿台７の上面に読み取り原稿、例えば見開き状態にされた書籍等を操作者が載置できるようになっている。
【００２８】
本体部２は、複数の給紙カセット１２と、給紙カセット１２から記録紙を１枚ずつ繰り出して後述の画像形成部１４へ搬送する給紙ローラ１３と、給紙カセット１２から搬送されてきた記録紙に画像を形成する画像形成部１４とを備える。
【００２９】
画像形成部１４は、スキャナ部６等で取得された画像データに基づきレーザ等を出力して感光体ドラム１５を露光する光走査装置１６と、感光体ドラム１５の表面に形成された静電潜像を顕像化して画像を形成する現像部１７と、感光体ドラム１５上に形成された画像を記録紙に転写する転写部１８と、画像が転写された記録紙を加熱して該画像を記録紙に定着させる定着部１９と、画像形成部１４内の用紙搬送路上に設けられ、記録紙をスタックトレイ３又は排出トレイ２２まで搬送する搬送ローラ対２０，２１等とを備える。
【００３０】
記録紙の両面に画像を形成する場合は、画像形成部１４で記録紙の一方の面に画像を形成した後、この記録紙を排出トレイ２２側の搬送ローラ対２０にニップされた状態とする。この状態で搬送ローラ対２０を反転させて記録紙をスイッチバックさせ、記録紙を用紙搬送路Ｌに送って画像形成部１４の上流域に再度搬送し、画像形成部１４により記録紙の他方の面に画像を形成した後、記録紙をスタックトレイ３又は排出トレイ２２に排出する。
【００３１】
画像形成装置１のフロント部には、操作部２３が設けられている。操作部２３には、ユーザが印刷実行指示を入力するためのスタートキー２４と、印刷部数等を入力するためのテンキー２５と、各種複写動作の操作ガイド情報等を表示し、これら各種設定入力用にタッチパネル機能を有する液晶ディスプレイ等からなる表示部２６と、表示部２６で設定された設定内容等をリセットするリセットキー２７と、実行中の印刷（画像形成）動作を停止させるためのストップキー２８と、コピー機能、プリンタ機能、スキャナ機能及びファクシミリ機能を切り換えるための機能切換キー２９とが備えられている。
【００３２】
図２は、前記スキャナ部６に備えられる照明装置１００及び該照明装置１００を制御する制御部１０６の電気的な構成を示すブロック図である。なお、図１に示す構成と同一の構成については同一の番号を付してその説明を省略する。
【００３３】
図２に示すように、照明装置１００は、直列接続された発光素子としての複数のＬＥＤ（Light Emitting Diode）１０１ａ，１０２ａをそれぞれ備えた複数（本実施形態では２つ）の発光部１０１，１０２を有する。以下、各発光部１０１，１０２における複数のＬＥＤの直列回路をＬＥＤ直列回路という。
【００３４】
また、照明装置１００は、前記各発光部１０１，１０２のＬＥＤ直列回路にそれぞれ直列接続された複数の抵抗素子１０３，１０４と、各ＬＥＤ直列回路に接続されたインバータ１０５と、後述する制御部１０６とを有する。
【００３５】
インバータ１０５は、制御部１０６から制御信号（指令信号）を受けて、電源Ｖｐから供給される電力を基にして所定の電圧を有する直流電力（直流電流）を生成し、各発光部１０１，１０２に供給するものである。
【００３６】
発光部１０１，１０２は、インバータ１０５から前記直流電力（直流電流）の供給を受けて発光する。発光部１０１，１０２は、当該発光部１０１，１０２にかかる電圧が所定の電圧以上のときに、当該発光部１０１，１０２に流れる電流が増大するほど発光量が増大する特性（以下、特性（１）という）を有している。また、発光部１０１，１０２は、当該発光部１０１，１０２の温度が増大するほど当該発光部１０１，１０２に流れる電流が小さくなる特性（以下、特性（２）という）を有する。
【００３７】
抵抗素子１０３，１０４は、前記ＬＥＤ直列回路とグランドとの間に接続されている。抵抗素子１０３，１０４の両端子のうち前記ＬＥＤ直列回路と接続されている方の端子は、制御部１０６の或る入力端子に接続されており、制御部１０６は、抵抗素子１０３，１０４の両端子間の電圧（両端電圧）ＶＲ１，ＶＲ２を電圧信号として取り込む。
【００３８】
各発光部１０１，１０２の各ＬＥＤ１０１ａ，１０２ａには、熱電素子としての温度調節モジュール１０７，１０８が取り付けられている。本実施形態における温度調節モジュール１０７，１０８は、互いに略同様の構成とされており、図３に示すように、第１，第２基板１０９，１１０と、Ｐ型半導体１１１と、Ｎ型半導体１１２とを備えて構成されるペルチェモジュールである。
【００３９】
図３に示すように、Ｐ型半導体１１１及びＮ型半導体１１２には、それぞれ電極ａ，ｂが設けられており、温度調節モジュール１０７，１０８は、Ｐ型半導体１１１及びＮ型半導体１１２にそれぞれ電極ａから電極ｂに向けて電流（以下、ペルチェ電流という）を流すことで、一方の基板は放熱板として機能し、他方の基板は吸熱板として機能する。
【００４０】
温度調節モジュール１０７，１０８には、発光部１０１，１０２への供給電流とは別系統で電流が供給されるようになっており、この電流（ペルチェ電流）の大きさは制御部１０６（後述するペルチェ制御部１１５）により制御される。
【００４１】
そして、各発光部１０１，１０２の各ＬＥＤ１０１ａ，１０２ａは、吸熱板として作用する方の基板上に載置されており、これにより、温度調節モジュール１０７は、発光部１０１を、温度調節モジュール１０８は、発光部１０２をそれぞれ冷却可能となっている。なお、図２は、各発光部１０１，１０２の各ＬＥＤ１０１ａ，１０２ａが、温度調節モジュール１０７，１０８の吸熱板として作用する方の基板上に載置されている状態を示している。
【００４２】
図２に戻り、制御部１０６は、データを一時的に保管する機能や作業領域としての機能を有するＲＡＭ（Random Access Memory）、プログラムを予め記憶するＲＯＭ、及び、前記プログラム等をＲＯＭから読み出して実行するＣＰＵを備えて構成されており、ＣＰＵとＲＡＭ及びＲＯＭとはデータバスを介してデータの授受を行うように構成されている。ＣＰＵは、ＲＯＭに格納されているプログラムを適宜実行することで、そのプログラムの内容に応じた処理を実行する。
【００４３】
また、制御部１０６は、例えばＲＯＭに記憶された制御プログラムを実行することにより、電流検出部１１３と、テーブル記憶部１１４と、ペルチェ制御部１１５として機能するようになっている。
【００４４】
電流検出部１１３は、前記抵抗素子１０３，１０４からの電圧信号に基づき、該抵抗素子１０３，１０４に流れる電流、すなわち、発光部１０１，１０２に流れる電流ＩＸ，ＩＹを検出するものである。すなわち、抵抗素子１０３，１０４の抵抗値をＲ１，Ｒ２とすると、この抵抗値Ｒ１，Ｒ２を示す情報が電流検出部１１３により予め記憶されており、電流検出部１１３は、前記抵抗素子１０３の電圧信号を取り込むと、該電圧信号が示す電圧（両端電圧）ＶＲ１を前記抵抗素子１０３の抵抗値Ｒ１で除算したＶＲ１／Ｒ１を、発光部１０１に流れる電流ＩＸとして検出する。同様に、電流検出部１１３は、前記抵抗素子１０４からの電圧信号を取り込むと、該電圧信号が示す電圧（両端電圧）ＶＲ２を前記抵抗素子１０４の抵抗値Ｒ２で除算したＶＲ２／Ｒ２を、発光部１０２に流れる電流ＩＹとして検出する。
【００４５】
テーブル記憶部１１４は、図４に示すように、発光部１０１，１０２を所定の発光量で発光させるための、発光部１０１，１０２に流れる電流ＩＸ，ＩＹと前記温度調節モジュール１０７，１０８に供給すべき電流Ｉｓ，Ｉｔとの対応関係を示すテーブルを予め記憶しているものである。
【００４６】
図４（ａ）に示すテーブルには、例えば前記電流検出部１１３により検出された発光部１０１に流れる電流ＩＸが電流ＩＸ１のときには、前記温度調節モジュール１０７に供給すべき電流（制御値）Ｉｓとして電流値Ｉｓ１が設定されている。また、図４（ｂ）に示すテーブルには、前記電流検出部１１３により検出された発光部１０２に流れる電流ＩＹが電流ＩＹ１のときには、前記温度調節モジュール１０８に供給すべき電流Ｉｔとして電流値Ｉｔ１が設定されている。
【００４７】
このような発光部１０１，１０２に流れる電流ＩＸ，ＩＹと前記ペルチェ電流Ｉｓ，Ｉｔとの関係は、発光部１０１，１０２の前記特性（１），（２）に基づいて設定されている。
【００４８】
すなわち、発光部１０１，１０２の温度が高くなると、当該発光部１０１，１０２の前記特性（２）により発光部１０１，１０２に流れる電流が小さくなり、発光部１０１，１０２に流れる電流が小さくなると、前記特性（１）により、発光部１０１，１０２の発光量が小さくなることから、一定の発光量で発光部１０１，１０２を発光させるためには、発光部１０１，１０２の温度上昇を抑制する必要がある。
【００４９】
一方、本実施形態に係る照明装置１００においては、当該発光部１０１，１０２に流れる電流は、抵抗素子１０３，１０４に流れる電流と同一である。したがって、当該発光部１０１，１０２に流れる電流ＩＸ，ＩＹが小さくなり、発光部１０１，１０２の発光量が小さくなると、抵抗素子１０３，１０４に流れる電流も小さくなり、抵抗素子１０３，１０４の両端電圧ＶＲ１，ＶＲ２が小さくなる。
【００５０】
また、当該発光部１０１，１０２に流れる電流が大きくなり、発光部１０１，１０２の発光量が大きくなると、抵抗素子１０３，１０４に流れる電流も大きくなり、抵抗素子１０３，１０４の両端電圧ＶＲ１，ＶＲ２が大きくなる。このように、発光部１０１，１０２の発光量と、発光部１０１，１０２に流れる電流ＩＸ，ＩＹ、すなわち抵抗素子１０３，１０４の両端電圧ＶＲ１，ＶＲ２とは相関関係がある。
【００５１】
本実施形態では、発光部１０１，１０２の発光量と発光部１０１，１０２に流れる電流ＩＸ，ＩＹとの相関関係を用いて、発光部１０１，１０２の発光状態を、発光部１０１，１０２に流れる電流ＩＸ，ＩＹで間接的に検出するようにし、発光部１０１，１０２に流れる電流ＩＸ，ＩＹが低下する（発光部１０１，１０２の発光量が小さくなる）と、発光部１０１，１０２の温度が高くなっていることから、前記ペルチェ電流Ｉを大きくして発光部１０１，１０２を冷却させることにより、発光部１０１，１０２に流れる電流ＩＸ，ＩＹを大きくし、発光部１０１，１０２の発光量を増大させる。
【００５２】
前記ペルチェ電流Ｉの増大量は、発光部１０１，１０２の所定の発光量に対して不足する発光量に相当する量であり、予め求められている。そして、前記ペルチェ電流Ｉの増大量と前記発光部１０１，１０２に流れる電流ＩＸ，ＩＹとに基づいて、前記テーブルが設定されている。そして、このテーブルを、温度調節モジュール１０７，１０８ごとに予め設定することで、発光部１０１，１０２間の特性のバラツキ（個体差）、及び、温度調節ユニット１０７，１０８間の冷却特性のバラツキ（個体差）を吸収するようになっている。
【００５３】
ペルチェ制御部１１５は、前記温度調節モジュール１０７，１０８による動作を制御するものであり、前記電流検出部１１３により前記抵抗素子１０３，１０４に流れる電流（前記発光部１０１，１０２に流れる電流）ＩＸ，ＩＹが検出されると、その電流ＩＸ，ＩＹに対応するペルチェ電流Ｉ（制御値）を前記テーブル記憶部１１４から読み出し、この読み出したペルチェ電流Ｉを前記温度調節モジュール１０７，１０８に供給するように制御する。
【００５４】
例えば前記電流検出部１１３により検出された前記抵抗素子１０３に流れる電流（前記発光部１０１に流れる電流）ＩＸが電流ＩＸ１のとき、ペルチェ制御部１１５は、前記温度調節モジュール１０７に電流値Ｉｓ１の電流を供給し、また、前記電流検出部１１３により検出された前記抵抗素子１０４に流れる電流（前記発光部１０２に流れる電流）ＩＹが電流ＩＹ１のときには、前記温度調節モジュール１０８に電流値Ｉｔ１の電流を供給する。ペルチェ制御部は、熱電素子制御部の一例である。
【００５５】
図５は、制御部１００による温度調節モジュール１０７，１０８の動作制御を示すフローチャートである。
【００５６】
図５に示すように、電流検出部１１３が、前記抵抗素子１０３，１０４からの電圧信号に基づき、前記抵抗素子１０３，１０４に流れる電流（前記発光部１０１，１０２に流れる電流）ＩＸ，ＩＹを検出すると（ステップ♯１でＹＥＳ）、前記検出電流ＩＸに対応する供給電流（前記温度調節モジュール１０７に供給する電流）Ｉｓをテーブル記憶部１１４から読み出すとともに、前記検出電流ＩＹに対応する供給電流（前記温度調節モジュール１０８に供給する電流）Ｉｔをテーブル記憶部１１４から読み出す（ステップ♯２）。
【００５７】
そして、ペルチェ制御部１１５は、ステップ♯２で読み出した供給電流Ｉｓを温度調節モジュール１０７に供給するとともに、ステップ♯２で読み出した供給電流Ｉｔを温度調節モジュール１０８に供給する（ステップ♯３）。
【００５８】
以上のように、各温度調節モジュール１０７，１０８のＬＥＤ直列回路に、それぞれ抵抗素子１０３，１０４を直列に接続し、発光部１０１，１０２の発光状態を、抵抗素子１０３，１０４に流れる電流（前記発光部１０１，１０２に流れる電流）ＩＸ，ＩＹで間接的に検出するとともに、発光部１０１，１０２の発光量を所定値にするための温度調節モジュール１０７，１０８への供給電流を、抵抗素子１０３，１０４に流れる電流（前記発光部１０１，１０２に流れる電流）ＩＸ，ＩＹの値ごとに予め設定したテーブルを用意しておき、抵抗素子１０３，１０４に流れる電流（前記発光部１０１，１０２に流れる電流）ＩＸ，ＩＹが検出されると、該電流ＩＸ，ＩＹに対応する温度調節モジュール１０７，１０８への供給電流を前記テーブルから読み出して、該供給電流を温度調節モジュール１０７，１０８に供給するようにしたので、各温度調節モジュール１０７，１０８にそれぞれサーミスタを搭載する必要がなくなる分、コストアップの増大を抑制することができる。
【００５９】
また、前記発光部１０１，１０２を予め定められた光量で発光させるための、前記電流検出部１１３により検出され得る電流ＩＸ，ＩＹと前記温度調節モジュール１０７，１０８への供給電流との対応関係を、発光部１０１，１０２と温度調節モジュール１０７，１０８との組み合わせごとに予め設定したので、発光部１０１と発光部１０２とで発光特性にバラツキが生じていたり、温度調節モジュール１０７と温度調節モジュール１０８とで冷却特性にバラツキが生じていたりしている場合であっても、それらのバラツキを吸収して、各発光部１０１，１０２の温度のバラツキを解消又は低減することができる。
【００６０】
そして、各発光部１０１，１０２の温度のバラツキを解消又は低減することができるため、前記照明装置１００の発光量（発光強度）につき、位置的なバラツキを解消又は低減することができる。その結果、読み取り対象の画像をより正確に読み取ることができる。
【符号の説明】
【００６１】
１    画像形成装置
４    原稿読取部
６    スキャナ部
１００  照明装置
１０１ａ，１０２ａ  ＬＥＤ
１０１，１０２  発光部
１０３，１０４  抵抗素子
１０６  制御部
１０７，１０８  温度調節モジュール
１１３  電流検出部
１１４  テーブル記憶部
１１５  ペルチェ制御部
【図１】
2011097348.tif 000003
【図２】
2011097348.tif 000004
【図３】
2011097348.tif 000005
【図４】
2011097348.tif 000006
【図５】
2011097348.tif 000007